(57)【要約】【課題】撮像機能の使い勝手を改良し、ユーザの満足度の向上を図る携帯端末を提供する。【解決手段】携帯電話機１において、通常撮像モードと、この通常撮像モードよりも近接した撮像を行うマクロ撮像モードとによる撮像が可能な撮像装置１６を備えるとともに、制御部１１により、撮像装置により撮像された撮像画像データに基づいて、通常撮像モードと、マクロ撮像モードの何れが適しているかを判断して、撮像装置の撮像モードを切換える制御を実行するようにした。【選択図】      図４
2004241822.tif 000002
【特許請求の範囲】
【請求項１】
第１の撮像モードと、前記第１の撮像モードよりも近接した撮像を行う第２の撮像モードとによる撮像が可能な撮像装置と、
前記撮像装置により撮像された撮像画像データに基づいて、前記第１の撮像モードと、前記第２の撮像モードの何れが適しているかを判断して、前記撮像装置の撮像モードを切換える制御を実行する切換制御手段と、
を備えることを特徴とする携帯端末。
【請求項２】
請求項１に記載の携帯端末において、
前記撮像装置により撮像された撮像画像データの中から情報コードの可能性がある情報コード対象を認識するコード認識手段を備え、
前記切換制御手段は、
前記コード認識手段により認識された前記情報コード対象がある場合に、前記第１の撮像モードから前記第２の撮像モードに切換えることを特徴とする携帯端末。
【請求項３】
請求項２に記載の携帯端末において、
前記コード認識手段は、
前記撮像画像データと、所定の類似性係数算定用情報とを比較して類似性係数を算出する類似性係数算出手段を備え、
前記類似性係数算出手段により算出された類似性係数が、予め設定された所定値よりも大きく、且つ「１」よりも小さい場合に、前記情報コード対象であると認識することを特徴とする携帯端末。
【請求項４】
請求項３に記載の携帯端末において、
前記コード認識手段は、
前記類似性係数算出手段により算出された類似性係数が「１」である場合に、情報コードであると認識することを特徴とする携帯端末。
【請求項５】
請求項２〜４の何れか一項に記載の携帯端末において、
前記コード認識手段により認識された情報コードから情報コードの情報内容を解読する解読手段と、
前記解読手段により解読された情報コードの情報内容を表示部に表示させる表示制御手段と、
を備えることを特徴とする携帯端末。
【請求項６】
請求項２〜４の何れか一項に記載の携帯端末において、
前記コード認識手段により認識された情報コードから情報コードの情報内容を解読する解読手段と、
前記解読手段により解読された情報コードの情報内容に基づく動作を実行する実行手段と、
を備えることを特徴とする携帯端末。
【請求項７】
請求項１〜６の何れか一項に記載の携帯端末において、
前記撮像装置は、前記第１の撮像モード用の第１の焦点距離と、前記第２の撮像モード用の第２の焦点距離に切換可能に構成され、
前記切換制御手段は、
前記撮像装置の光学部材の被写体に対する焦点距離を第１の焦点距離から第２の焦点距離に切換える制御をすることで、前記第１の撮像モードから前記第２の撮像モードに切換えることを特徴とする携帯端末。
【請求項８】
請求項１〜６の何れか一項に記載の携帯端末において、
前記撮像装置は、前記第１の撮像モード用の第１の光学部材と、前記第２の撮像モード用の第２の光学部材とを備え、
前記切換制御手段は、
前記撮像装置の第１の光学部材から第２の光学部材により被写体を撮像するように切換える制御をすることで、前記第１の撮像モードから前記第２の撮像モードに切換えることを特徴とする携帯端末。
【請求項９】
請求項１〜６の何れか一項に記載の携帯端末において、
前記切換制御手段は、
青色光のみを被写体に照射しその反射像に基づいて撮像処理を実行するように前記撮像装置を制御することで、前記第１の撮像モードから前記第２の撮像モードに切換えることを特徴とする携帯端末。
【発明の詳細な説明】
【０００１】
【発明の属する技術分野】
本発明は、携帯端末に関する。
【０００２】
【従来の技術】
近年、携帯電話機やＰＨＳ（Ｐｅｒｓｏｎａｌ  Ｈａｎｄｙｐｈｏｎｅ  Ｓｙｓｔｅｍ）等の通信端末機（以下、統括して「携帯端末」と称す）にカメラ等の撮像装置を備える撮像装置付き携帯端末が提案されている。このような撮像装置付き携帯端末は著しく普及しており、それに伴って、多機能化が進んでいる。多機能化の一例として、例えば、通常撮像モードと、この通常撮像モードよりも近接撮像用のマクロ撮像モードとの切換え機構を備えた携帯端末が発明されている（例えば、特許文献１参照）。
【０００３】
【特許文献１】
特開２００２−２６２１６４号公報
【０００４】
【発明が解決しようとする課題】
しかしながら、上記特許文献１の場合、ユーザが、自ら判断して通常撮像モードと、マクロ撮像モードとを切換えなければならないため、操作が面倒であるという問題があった。
【０００５】
そこで、本発明の課題は、撮像機能の使い勝手を改良し、ユーザの満足度の向上を図る携帯端末を提供することである。
【０００６】
【課題を解決するための手段】
上記課題を解決するために、請求項１記載の発明は、
携帯端末であって、
第１の撮像モードと、前記第１の撮像モードよりも近接した撮像を行う第２の撮像モードとによる撮像が可能な撮像装置と、
前記撮像装置により撮像された撮像画像データに基づいて、前記第１の撮像モードと、前記第２の撮像モードの何れが適しているかを判断して、前記撮像装置の撮像モードを切換える制御を実行する切換制御手段と、
を備えることを特徴とする。
【０００７】
請求項１記載の発明によれば、第１の撮像モードと、第１の撮像モードよりも近接した撮像を行う第２の撮像モードとによる撮像が可能な撮像装置を備えた携帯端末において、切換制御手段により、撮像装置により撮像された撮像画像データに基づいて、第１の撮像モードと、第２の撮像モードの何れが適しているかが判断されて、撮像装置の撮像モードが自動的に切換えられるので、ユーザの撮像モードの選択判断や切換設定等を行う手間を省くことができることとなって、使い勝手が良くなり、ユーザの満足度の向上を図ることができる。
【０００８】
請求項２記載の発明は、請求項１記載の発明において、
前記撮像装置により撮像された撮像画像データの中から情報コードの可能性がある情報コード対象を認識するコード認識手段と、を備え、
前記切換制御手段は、
前記コード認識手段により認識された前記情報コード対象がある場合に、前記第１の撮像モードから前記第２の撮像モードに切換えることを特徴とする。
【０００９】
ここで、情報コードとは、例えば、二次元コード、一次元バーコード、カラーコード等であるが、これらに限定されるものではない。
【００１０】
請求項２記載の発明によれば、請求項１に記載の発明と同様の効果が得られるのは勿論のこと、特に、コード認識手段により、撮像装置により撮像された撮像画像データの中から情報コードの可能性がある情報コード対象が認識され、切換制御手段により、コード認識手段により認識された情報コード対象がある場合に、第１の撮像モードから第２の撮像モードに切換えられる。したがって、撮像画像データに情報コードの可能性がある情報コード対象が含まれている場合、ユーザによる撮像モードの切換え設定処理がなくとも、自動的に情報コードの撮像に適した撮像モードに切換えられることとなって、ユーザにより利便性の高いものを提供することができるとともに、情報コードの認識率を向上させることができる。
【００１１】
請求項３記載の発明は、請求項２に記載の携帯端末において、
前記コード認識手段は、
前記撮像画像データと、所定の類似性係数算定用情報とを比較して類似性係数を算出する類似性係数算出手段を備え、
前記類似性係数算出手段により算出された類似性係数が、予め設定された所定値よりも大きく、且つ「１」よりも小さい場合に、情報コード対象であると認識することを特徴とする。
【００１２】
請求項３記載の発明によれば、請求項２に記載の発明と同様の効果が得られるのは勿論のこと、特に、コード認識手段は、類似性係数算出手段により、撮像画像データと、所定の類似性係数算定用情報とを比較して類似性係数を算出した上で、この類似性係数が予め設定された所定値よりも大きく、且つ「１」よりも小さい場合に、情報コードである可能性がある情報コード対象として認識するので、情報コード対象が含まれている場合のみ撮像モードが切り換わる。従って、撮像画像データに情報コードの可能性が少ないものや、情報コードと認識されたもののみが含まれている場合には、撮像モードは切り換わらないこととなって、効率的である。
【００１３】
請求項４記載の発明は、請求項３に記載の携帯端末において、
前記コード認識手段は、前記類似性係数算出手段により算出された類似性係数が「１」である場合に、情報コードであると認識することを特徴とする。
【００１４】
請求項４記載の発明によれば、請求項３に記載の発明と同様の効果が得られるのは勿論のこと、特に、コード認識手段は、類似性係数算出手段により算出された類似性係数が「１」である場合に、情報コードであると認識するので、数値による判断によって情報コードであるか否かが認識されることとなって、情報コードの誤認防止の効果を奏する。
【００１５】
請求項５記載の発明は、請求項２〜４の何れか一項に記載の携帯端末において、前記コード認識手段により認識された情報コードから情報コードの情報内容を解読する解読手段と、
前記解読手段により解読された情報コードの情報内容を表示部に表示させる表示制御手段と、
を備えることを特徴とする。
【００１６】
ここで、情報コードの情報内容は、例えば、文字情報、画像情報等、どのようなものであってもよい。
【００１７】
請求項５記載の発明によれば、請求項２〜４の何れか一項に記載の発明と同様の効果が得られるのは勿論のこと、特に、解読手段により、情報コードが解読され、表示制御手段により、解読された情報コードの情報内容が表示部に表示されるので、ユーザに特別な操作を課すことなく情報コードの情報内容を提供できることとなって、より利便性が向上する。
【００１８】
請求項６記載の発明は、請求項２〜４の何れか一項に記載の携帯端末において、
前記コード認識手段により認識された情報コードから情報コードの情報内容を解読する解読手段と、
前記解読手段により解読された情報コードの情報内容に基づく動作を実行する実行手段と、
を備えることを特徴とする。
【００１９】
ここで、情報コードの情報内容とは、例えば、文字情報、画像情報、音声情報等であり、情報内容に基づく動作とは、例えば、表示処理、通信接続処理、音声出力処理、保存処理等であるが、どちらもこれらに限定されるものではない。
【００２０】
請求項６記載の発明によれば、請求項２〜４の何れか一項に記載の発明と同様の効果が得られるのは勿論のこと、特に、解読手段により、情報コードの情報内容が解読され、実行手段により、解読された情報コードの情報内容に基づく動作を実行されるので、より使い勝手の良さを向上させることができる。
【００２１】
請求項７記載の発明は、請求項１〜６の何れか一項に記載の携帯端末において、
前記撮像装置は、前記第１の撮像モード用の第１の焦点距離と、前記第２の撮像モード用の第２の焦点距離に切換可能に構成され、
前記切換制御手段は、
前記撮像装置の光学部材の被写体に対する焦点距離を第１の焦点距離から第２の焦点距離に切換える制御をすることで、前記第１の撮像モードから前記第２の撮像モードに切換えることを特徴とする。
【００２２】
請求項７記載の発明によれば、請求項１〜６の何れかに記載の発明と同様の効果が得られるのは勿論のこと、特に、撮像装置は、第１の撮像モード用の第１の焦点距離と、第２の撮像モード用の第２の焦点距離に切換可能に構成されており、切換制御手段により、撮像装置の光学部材の被写体に対する焦点距離を第１の焦点距離から第２の焦点距離に切換える制御が行われることで、第１の撮像モードから第２の撮像モードに切換えられるので、撮像装置の焦点距離の切換えにより撮像モードの切換を行う携帯端末において、ユーザの利便性を向上させることができる。
【００２３】
請求項８に記載の発明は、請求項１〜６の何れか一項に記載の携帯端末において、
前記撮像装置は、前記第１の撮像モード用の第１の光学部材と、前記第２の撮像モード用の第２の光学部材とを備え、
前記切換制御手段は、
前記撮像装置の第１の光学部材から第２の光学部材により被写体を撮像するように切換える制御をすることで、前記第１の撮像モードから前記第２の撮像モードに切換えることを特徴とする。
【００２４】
請求項８に記載の発明によれば、請求項１〜６の何れか一項に記載の発明と同様の効果が得られるのは勿論のこと、特に、撮像装置は、第１の撮像モード用の第１の光学部材と、第２の撮像モード用の第２の光学部材とを備え、切換制御手段は、撮像装置の第１の光学部材から第２の光学部材により被写体を撮像するように切換える制御をすることで第１の撮像モードから第２の撮像モードに切換えるので、第１の撮像モード用の第１の光学部材と、第２の撮像モード用の第２の光学部材とを備える撮像装置を搭載した携帯端末において、ユーザの利便性を向上させることができる。
【００２５】
請求項９に記載の発明は、請求項１〜６の何れか一項に記載の携帯端末において、
前記切換制御手段は、
青色光のみを被写体に照射しその反射像に基づいて撮像処理を実行するように前記撮像装置を制御することで、前記第１の撮像モードから前記第２の撮像モードに切換えることを特徴とする。
【００２６】
請求項９に記載の発明によれば、請求項１〜６の何れか一項に記載の発明と同様の効果が得られるのは勿論のこと、特に、切換制御手段は、
青色光のみを被写体に照射しその反射像に基づいて撮像処理を実行するように撮像装置を制御することで、第１の撮像モードから第２の撮像モードに切換えるので、青色のみを被写体に照射することにより被写体までの焦点距離を短くするとともに、二値化した画像データが形成されるので、情報コードの認識に好適である。
【００２７】
【発明の実施の形態】
以下、図を参照して本発明の実施の形態を詳細に説明する。
【００２８】
図１は、本発明を適用した携帯端末の一例である、撮像装置付き携帯電話機（以下、携帯電話機と略記する。）の外観構成を示す図である。図１に示すように、携帯電話機１は、第１の筐体１０ａ及び第２の筐体１０ｂがヒンジ結合部１０ｃにより開閉可能に連結されて形成された折り畳み式のものである。
【００２９】
図１（ａ）に示すように、折り畳み時に内側になる面には、後述する入力部１２及び表示部１３が配設されている。入力部１２には、カメラボタン、機能キー等が設けられている。また、図１（ｂ）に示すように、折り畳み時に外側になる面に向けて撮像装置１６が設けられている。図１（ａ）及び図１（ｂ）に示すように、携帯電話機１の上部にはアンテナ１４ａが配設されている。また、第２の筐体１０ｂ内の背面側には、充電パック等の電源制御部１７が設けられている。
【００３０】
図２は、図１の携帯電話機１の機能的構成を示すブロック図である。図２に示すように、携帯電話機１は、制御部１１、入力部１２、表示部１３、アンテナ１４ａを有する無線通信部１４、記憶部１５、撮像装置１６、電源制御部１７、送受話部１８等を備えて構成され、各部はバス１９により接続されている。
【００３１】
制御部１１は、ＣＰＵ（Ｃｅｎｔｒａｌ  Ｐｒｏｃｅｓｓｉｎｇ  Ｕｎｉｔ）１１ａ、書き換え可能な半導体素子で構成されるＲＡＭ（Ｒａｎｄｏｍ  Ａｃｃｅｓｓ  Ｍｅｍｏｒｙ）１１ｂ、不揮発性の半導体メモリで構成されるＲＯＭ（Ｒｅａｄ  Ｏｎｌｙ  Ｍｅｍｏｒｙ）１１ｃ等から構成されている。
【００３２】
ＲＯＭ１１ｃには、図示しない、携帯電話機１の基本動作制御プログラム、通信処理プログラム、表示部１３に表示するための表示用データ、撮像に関するパラメータデータ（自動撮像用のデフォルトの設定データ、プレビュー表示処理用のデフォルトの設定データ）等の他、撮像制御プログラムｃ１、コード認識プログラムｃ２、コード認識用データｃ３が記憶されている。ここで、コード認識用データｃ３は、画像データに情報コードとしての二次元コードが含まれているかを判断するためのコード類似性係数（Ｑ）を設定する際の基準データであり、類似性係数算定用情報として機能する。
【００３３】
ＣＰＵ１１ａは、入力部１２から入力される各種指示又は無線通信部１４から入力されるデータに従って、ＲＯＭ１１ｃに記憶されている各種プログラムの中から指定されたプログラムをＲＡＭ１１ｂのワークエリアに展開し、この入力指示及び入力データにより上記プログラムに従って各種処理を実行する。そして、ＣＰＵ１１ａは、その処理結果をＲＡＭ１１ｂの所定の領域に格納するとともに、表示部１３に表示させる。
【００３４】
具体的に、ＣＰＵ１１ａは、ＲＯＭ１１ｃに記憶される撮像制御プログラムｃ１を読み出して、後述する撮像制御処理を実行する。
撮像制御処理として、ＣＰＵ１１ａは、入力部１２から入力されるユーザの操作指示等に従って、撮像装置１６を制御して、撮像画像データを取得する。そして、ＣＰＵ１１ａは、撮像装置１６により撮像された撮像画像データをＲＡＭ１１ｂに所定のメモリ等に格納した上で、フレームレート２５ｆｐｓで、表示部１３にプレビュー表示させる。
また、ＣＰＵ１１ａは、コード認識手段として、コード認識プログラムｃ２に従って、撮像画像データに対して二次元コードである可能性のある二次元コード対象を認識するコード処理を実行する。具体的に、ＣＰＵ１１ａは、５フレーム毎に、撮像画像データと、コード認識用データｃ３とを対照することにより、撮像画像データに二次元コードが含まれているか否かの判断を実行する。より具体的には、ＣＰＵ１１ａは、類似性係数算出手段として、撮像画像データと、類似性係数算定用情報としてのコード認識用データｃ３とを対照することにより、二次元コード対象にコード類似性係数を算出し、このコード類似性係数の値に基づいて、二次元コードである可能性のある二次元コード対象（情報コード対象）や二次元コードを認識する。
【００３５】
更に、ＣＰＵ１１ａは、切換制御手段として、コード類似性係数が、コードを含んでいる可能性があるが、決定的でない数値であると判断した二次元コード対象がある場合、撮像装置１６により第１の撮像モードとしての通常撮像モードから第２の撮像モードとしてのマクロ撮像モードによる撮像処理を行うように切換制御処理する。ここで、マクロ撮像モードとは、例えば、通常撮像モードよりも被写体までの距離が短い場合の撮像を行う場合のモードとする。
【００３６】
また、ＣＰＵ１１ａは、撮像画像データ中に二次元コードを認識した場合には、解読手段として、二次元コードのデコード処理するとともに、表示制御手段として、表示部１３に表示させる。
また、ＣＰＵ１１ａは、実行手段として、デコード処理を行った情報コードの情報に基づく動作を実行する。
【００３７】
入力部１２は、テンキー、各種機能スイッチ、通話モード及びカメラモードの切換えを行うモード切換スイッチ等を備えており、撮像処理の実施指示の入力等に用いられる。
【００３８】
表示部１３は、ＬＣＤ（Ｌｉｑｕｉｄ  Ｃｒｙｓｔａｌ  Ｄｉｓｐｌａｙ）パネル等により構成され、制御部１１から入力される表示データに基づいて画面表示を行う。また、表示部１３は、後述する撮像装置１６によってプレビュー撮像された画像や、制御部１１により復号（デコード）されたコード情報内容等を表示する。
【００３９】
無線通信部１４は、無線基地局（図示せず）との間で着信や発信等に係る無線信号の送受信を行うアンテナ１４ａを備え、制御部１１から入力される指示に従って、無線基地局との間で、例えば、ＩＭＴ−２０００準拠の通信方式（例えば、Ｗ−ＣＤＭＡやｃｄｍａ２０００）に対応する携帯電話用の通信プロトコルを実行し、この通信方式で設定される通信チャネルにより、送受話音声の送受信やデータ通信を実行する。
【００４０】
記憶部１５は、制御部１１により実行された処理結果のデータ等を記憶する。例えば、記憶部１５は、撮像装置１６により撮像された画像のデータ、無線通信部１４を介して送受信したメールのデータ、通話履歴のデータ等を記憶する。
【００４１】
撮像装置１６は、ガラス又はプラスチックからなる光学レンズ（後述の第１光学部材３１、第２光学部材３２）、及びＣＣＤ（Ｃｈａｒｇｅ  Ｃｏｕｐｌｅｄ  Ｄｉｏｄｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子（後述の第１撮像素子２１、第２撮像素子２２）により構成され、光学レンズを介して入力される画像を撮像素子で電気信号に変換して、画像データを生成する。また、ＣＣＤやＣＭＯＳは、周囲の光量を検出する光学センサとしての機能を有し、周囲の光量に応じた検出信号を制御部１１に出力する。
また、撮像装置１６は、制御部１１の制御に基づいて、通常撮像モードと、マクロ撮像モードとによる撮像処理が実行可能に構成されている。
【００４２】
具体的に、撮像装置１６は、例えば、図３に示すように、一枚の基板ＰＣの一方の面上に設けられ、光を感じるセンサとなる通常撮像モード用の第１撮像素子２１、及びマクロ撮像モード用の第２撮像素子２２、この第１撮像素子２１に集光させるための通常撮像モード用の第１光学部材（第１の光学部材）３１、第２撮像素子２２に集光させるためのマクロ撮像モード用の第２光学部材（第２の光学部材）３２、第１光学部材３１に入射する光の量を調節する絞り板４１、第２光学部材３２に入射する光の量を調節する絞り板４２、第１撮像素子２１及び第２撮像素子２２を覆い隠す外枠部材としての鏡枠５、遮光性を有する遮光板６、遮光板６に支持されるフィルタ７１，７２、各光学部材３１，３２を押圧する押圧部材８１，８２、各光学部材３１，３２の位置決めを行うための位置決め電気部品９１，９２等を備えている。
【００４３】
各光学部材３１，３２は、各撮像素子２１，２２の光電変換部２１ａ，２２ａ（後述する）に被写体像を結像させるものであり、透明なガラス又はプラスチック材料を素材とし、図３に示すように、脚部３１ｃ，３２ｃと、この脚部３１ｃ，３２ｃに支持される凸レンズ形状のレンズ部３１ａ，３２ａとが一体的に形成されている。脚部３１ｃ，３２ｃの上面部の中央にレンズ部３１ａ，３２ａが形成されている。このレンズ部３１ａ，３２ａは、互いに異なる径とされ、図３においては、レンズ部３１ａが大径、レンズ部３２ａが小径とされている。そして、レンズ部３２ａは、マクロ撮像モードにおける撮像処理に用いられるために、レンズ部３１ａと異なる焦点距離を有している。尚、これらの光学部材３１，３２を小型の携帯端末１等に内蔵させるには、光軸方向の高さが１５ｍｍ以下であることが好ましい。
【００４４】
脚部３１ｃ，３２ｃは、光軸に対して垂直な断面視において円弧状に形成されている。この脚部３１ｃの下端部には、突起部３１ｇが設けられ、脚部３２ｃの下端部には、突起部３２ｇが設けられている。
【００４５】
絞り板４１，４２は、図３に示すように、脚部３２ｃの上面であって、レンズ部３１ａ，３２ａの周囲に接着剤Ｂにより固定されている。絞り板４１，４２は、遮光性のある素材からなり、レンズ部３１ａ，３２ａの絞り値（Ｆ値）を規定する第１の絞りとしての開口４１ａ，４２ａを有する。
ここで、開口４２ａは、マクロ撮像モード用に、通常撮像モード用の開口４１ａよりも開口面積が小さく形成されている。
そして、レンズ部３２ａと第２撮像素子２２との距離や、絞り板４２の絞り値等により、例えば、被写界深度が、数センチメートル〜∞となるように構成され、マクロ撮像モード用の焦点距離（第２の焦点距離）が設定されるようになっている。
尚、レンズ部３２ａと、第２撮像素子２２との距離、絞り板４２の絞り値等の何れか一の要素によって、マクロ撮像が可能な焦点距離（第２の焦点距離）に設定可能な構成であってもよい。
【００４６】
鏡枠５は、遮光性を有する素材からなり、各光学部材３１，３２の外側に配置されている。
鏡枠５は、四角柱状に形成され、そのうち対向する二つの内側面には、水平方向に沿って各光学部材３１，３２を支持する支持部５１，５２が一体に形成され、長尺側の両端部が他の対向する二つの内側面に当接されている。さらに、他の対向する二つの内側面にわたって設けられ、鏡枠５内の空間を二分する間仕切壁５３が支持部５１，５２とほぼ平行に設けられ、長尺側の両端部が他の対向する二つの内側面に当接されている。
【００４７】
間仕切壁５３は、隣接する第１光学部材３１と第２光学部材３２との間（第１撮像素子２１と第２撮像素子２２との間）を仕切り、第１光学部材３１（第２光学部材３２）を通過した光が第２撮像素子２２（第１撮像素子２１）へ入射しないようにするものである。また、間仕切壁５３には、支持部５１，５２と同じ高さに各光学部材３１，３２の他端部を支持する支持部５４，５５が一体に形成されている。すなわち、支持部５１及び支持部５４で第１光学部材３１を支持し、支持部５２及び支持部５５で第２光学部材３２を支持している。
また、間仕切壁５３の下端部は、例えば、コンデンサＣの上面に当接しており、図示しない電気配線等に接触しないように工夫が施されている。
【００４８】
また、鏡枠５の下端部は、基板ＰＣ上に鏡枠５が取り付けられる際の接着部位となる箇所であって、鏡枠５の内側面と外側面とにおいて、側面から底面５ａに向かって所定の角度で切り欠かれ、傾斜面を有する切欠部５ｂ，５ｂが形成されている。鏡枠５の下部が基板ＰＣ上に当接され取り付けられる際には、切り欠かれて残った底面５ａ及び切欠部５ｂ，５ｂの傾斜面と、基板ＰＣとの間に接着剤Ｂが塗布され、固着される。
【００４９】
一方、鏡枠５の上端部には、遮光板６が接着剤Ｂにより取り付けられている。この遮光板６は、各光学部材３１，３２に対応する位置に、第２の絞りとしての開口６１ａ，６２ａを有している。この開口６１ａ，６２ａの下方に、赤外線吸収特性を有する素材からなるフィルタ７１，７２が接着剤Ｂにより接合されている。これらのフィルタ７１，７２は、第１光学部材３１及び第２光学部材３２の径に対応して形成され、互いに異なる大きさとされている。
【００５０】
また、遮光板６は、鏡枠５の上端の開口部より少し小さく形成され、この開口部を塞ぐようになっている。
そして、この遮光板６とフィルタ７１，７２とでカバー部材を構成する。このように、基板ＰＣと鏡枠５とカバー部材とが密着し接合しているので、撮像装置１６は、防塵、防湿の構造を有する。
【００５１】
図３において、各光学部材３１，３２と、遮光板６との間には、例えば、コイルばねなどの弾性部材により構成された押圧部材８１，８２が配置されている。遮光板６が鏡枠５に取り付けられることで、遮光板６が押圧部材８１，８２を押圧して、押圧部材８１，８２が弾性変形する。この押圧部材８１，８２は、各光学部材３１，３２を図３中、下方に向かって所定の押圧力により押圧して、各光学部材３１，３２を各撮像素子２１，２２に付勢する。ここで、遮光板６から下方の各撮像素子２１，２２に向かう力が加わった際、押圧部材８１，８２が弾性変形することにより、その力を吸収する緩衝作用が働くので、その力は直接各撮像素子２１，２２には伝達されず、各撮像素子２１，２２が破損することを防ぐ効果がある。
【００５２】
各撮像素子２１，２２は、ＣＭＯＳ型イメージセンサからなる。矩形薄板状の各撮像素子２１，２２の下面は、基板ＰＣの上面に取り付けられている。各撮像素子２１，２２の上面中央には、画素が２次元的に配列された光電変換部２１ａ，２２ａが形成されている。その外側に処理部（図示しない）が形成されており、処理部の外縁近傍には、複数のパッド（図示しない）が配置されている。外部接続用端子であるパッドは、図２に示すように、ワイヤＷを介して基板ＰＣに接続されている。ワイヤＷは、基板ＰＣ上の所定の回路に接続されており、この所定の回路を介して制御部１１に撮像画像データが出力されるようになっている。
【００５３】
電源制御部１７は、例えば、リチウム電池、ニッケル電池、ニカド電池等の２次電池により構成され、電源が投入されると、制御部１１の制御に応じて、プラス側の端子及びマイナス側の端子から、携帯電話機１の各部を駆動する駆動回路に所定電圧の電源を供給する。
【００５４】
送受話部１８は、マイク、スピーカ、Ａ／Ｄ変換部、及びＤ／Ａ変換部（何れも図示せず）を有し、マイクから入力されるユーザの送話音声をＡ／Ｄ変換処理して、その送話音声データをＣＰＵ１１ａに出力するとともに、ＣＰＵ１１ａから入力される受話音声データや、着信音、操作確認音、シャッタ音等の音声データをＤ／Ａ変換処理して、スピーカから出力する。
【００５５】
以下、図４のフローチャート及び図５の説明概略図を参照して、携帯電話機１における撮像制御処理について説明する。
【００５６】
携帯電話機１のユーザによって、入力部１２の所定のボタンが押下されることにより、ＣＰＵ１１ａは、撮像処理の指示の入力であると判断し、ＲＯＭ１１ｃに記憶されている撮像制御プログラムｃ１を読み出してＲＡＭ１１ｂに展開し、該撮像制御プログラムｃ１に従って、撮像処理の制御を開始する。
このとき、ユーザは、携帯電話機１の撮像装置１６を被写体に向けることにより、図５に示すような、被写体（二次元コードのようなもの）を撮像することとする。
【００５７】
そして、ＣＰＵ１１ａは、具体的には、ＲＡＭ１１ｂに格納されている画像データのフレームのカウント数を０（Ｎ＝０）にリセットし（ステップＳ１０１）、通常撮像モードによる撮像処理の開始指示を撮像装置１６に出力する。
【００５８】
すると、撮像装置１６は、通常撮像モードにおける撮像処理として、第１光学部材３１により集光され、第１撮像素子２１の光電変換部２１ａに結像された被写体の撮像画像データを順次、制御部１１に出力する（ステップＳ１０２）。
【００５９】
すると、制御部１１のＣＰＵ１１ａは、撮像装置１６より順次入力される撮像画像データを、ＲＡＭ１１ｂに格納するとともに、この撮像画像をフレームレート２５ｆｐｓで表示部１３に表示させるプレビュー表示処理を実行する（ステップＳ１０３）。また、ＣＰＵ１１ａは、プレビュー表示処理の実行と平行して、撮像装置１６から入力される画像のフレーム数をカウント（Ｎ＝Ｎ＋１）し（ステップＳ１０４）、フレーム数が「５」であるかを判断する（ステップＳ１０５）。
そして、ＣＰＵ１１ａは、フレーム数が「５」であると判断した場合（ステップＳ１０５：Ｙｅｓ）には、ステップＳ１０６に移行し、フレーム数が５でないと判断した場合（ステップＳ１０５：Ｎｏ）には、ステップＳ１０２に移行し、以降の工程を繰り返す。
【００６０】
次いで、ステップＳ１０６〜ステップＳ１０８において、ＣＰＵ１１ａは、ＲＯＭ１１ｃに記憶されているコード認識プログラムｃ２を読み出してＲＡＭ１１ｂに展開し、このコード認識プログラムｃ２に従って、コード認識処理の制御を開始する。具体的に、ＣＰＵ１１ａは、フレーム数が「５」となったときの被写体の撮像画像データと、コード認識用データｃ３とを比較対照することにより、二次元コードの認識処理を実行する。
【００６１】
ここで、認識処理の方法として、例えば、被写体の撮像画像データに二次元コードであることを示す所定の切り出しシンボルを検出することにより認識する方法、或いは、被写体の撮像画像データの濃度により認識する方法、二次元コードの所定のモザイク形状を認識する方法等があるが、これらに限定されるものではない。
【００６２】
より詳細には、ＣＰＵ１１ａは、ステップＳ１０６において、撮像画像データと類似性係数算定情報としてのコード認識用データｃ３と比較することにより、該撮像画像データの二次元コードである可能性を判断するためのコード類似性係数（Ｑ）を算出する。
【００６３】
次いで、ＣＰＵ１１ａは、算出されたコード類似性係数（Ｑ）の値が、「０．５」以上であるか否かを判断し（ステップＳ１０７）、Ｑが「０．５」以上であると判断した場合（ステップＳ１０７：Ｙｅｓ）には、所定の二次元コードの可能性があると判断し、ステップＳ１０８に移行する。
一方、ＣＰＵ１１ａは、算出されたコード類似性係数（Ｑ）が０．５未満であると判断した場合（ステップＳ１０７：Ｎｏ）には、二次元コードである可能性が少ないと判断し、フレームのカウントを「０」にリセット設定（Ｎ＝０）した（ステップ１０９）上で、ステップＳ１０２に移行し、以降の工程であるプレビュー表示処理と５フレーム毎のコード認識処理を繰り返す。
このように、ＣＰＵ１１ａは、５フレーム毎に、被写体の撮像画像データに対し、二次元コードの認識処理を実行する。従って、ＣＰＵ１１ａの処理負荷が低減されることとなって、平行して実行する被写体の撮像画像データの取得処理及び該撮像画像データのプレビュー表示処理への影響を軽減することができる。
【００６４】
ステップＳ１０８において、ＣＰＵ１１ａは、コード類似性係数（Ｑ）が、「１」であるか否かを判断し、「１」であると判断した場合（ステップＳ１０８：Ｙｅｓ）には、二次元コードであると判断してステップＳ１１０に移行する。
一方、ＣＰＵ１１ａは、コード類似性係数（Ｑ）が、「０．５」以上であるが「１」ではないと判断した場合（ステップＳ１０８：Ｎｏ）には、二次元コードの可能性があるが明確でないものとしての二次元コード対象（情報コード対象）であると認識する。そして、ＣＰＵ１１ａは、撮像装置１６にマクロ撮像を実行するようにマクロ撮像モード設定処理を実行し（ステップＳ１１１）、ステップＳ１０９に移行する。
そして以降の工程で、マクロ撮像モードにおける撮像処理として、ＣＰＵ１１ａの制御により、撮像装置１６の第２光学部材３２と第２撮像素子２２を用いて被写体の撮像画像データが取得され、表示部１３にプレビュー表示される。また、ＣＰＵ１１ａは、このマクロ撮像モードにおける撮像処理、プレビュー表示処理と平行して、マクロ撮像モードによる撮像画像データに対し、５フレーム毎のコード認識処理を実行する。このとき、マクロ撮像モードにおける撮像処理は、通常撮像モードにおける撮像処理に比べて、焦点距離が短いので、二次元コードの認識率が向上することとなり、通常撮像モードおいて二次元コードとしての可能性があるが確定ではないものとしての二次元コード対象が二次元コードとして認識される可能性が高くなる。これに伴って、被写体の撮像画像データにおける二次元コードの認識率が向上する。
【００６５】
ステップＳ１１０において、ＣＰＵ１１ａは、認識された二次元コードのデコード処理を実行し、その二次元コードのコード情報内容を表示部１３に表示させる（ステップＳ１１２）。
ここで、表示部１３に表示されるコード情報内容としては、例えば、ＵＲＬアドレス、電子メールアドレス等の文字情報や、任意の画像情報等である。
尚、コード情報内容としての文字情報、画像情報等の表示部１３に表示可能な内容の他、例えば、コード情報内容が音声情報である場合、送受話部１８から放音処理を実行する構成であってもよい。
【００６６】
次いで、ＣＰＵ１１ａは、ユーザによる入力部１２の操作により、表示部１３に表示されたコード情報内容に対する所定の処理の指示信号が入力されたか否かを判断し（ステップＳ１１３）、指示信号が入力されたと判断した場合（ステップＳ１１３：Ｙｅｓ）には、該指示に応じた処理を実行（ステップＳ１１４）してステップＳ１１５に移行する。
ここで、コード情報内容に対する所定の処理とは、例えば、コード情報内容がＵＲＬアドレスである場合には、該ＵＲＬアドレスへの接続指示、コード情報内容が電子メールアドレスである場合には、該電子メールアドレス宛の電子メールの作成指示、コード情報内容が、電話番号、電子メールアドレス等である場合にはアドレス帳等への保存処理、その他、表示部１３の表示画像の保存処理等であるが、これらに限定されるものではない。
【００６７】
一方、ＣＰＵ１１ａは、ステップＳ１１３において、ユーザからの指示信号の入力がないと判断した場合（ステップＳ１１３：Ｎｏ）、ステップＳ１１５に移行する。
そして、ステップＳ１１５において、ＣＰＵ１１ａは、ユーザの入力部１２の操作により、撮像処理の終了指示が入力されたか否かを判断し、入力されたと判断した場合には、撮像装置１６に撮像処理の終了指示を出力することにより、本撮像制御処理を終了する。
一方、ＣＰＵ１１ａは、撮像処理の終了指示の入力がないと判断した場合（ステップＳ１１５：Ｎｏ）は、ステップＳ１０９に移行し、以降の工程を繰り返す。
【００６８】
このように、上述の撮像制御処理においては、撮像装置１６による被写体の撮像画像データの取得処理、及びその撮像画像データのプレビュー表示処理と平行して、該撮像画像データ中の所定の二次元コードデータの認識処理、及び二次元コードデータのデコード処理が自動的に実行される。従って、ユーザは、例えば、名刺や雑誌等に付けられている二次元コードを認識、解読するために面倒な設定をしなくとも通常の撮像処理の場合と同操作をすることで、自動的に二次元コードの読取、解読を行えなえることとなるので、大変使い勝手が良い。
また、例えば、通常撮像モードによる撮像画像データのピントがぼけていたり、ノイズが多く含まれていることにより、二次元コードと明確に認識することができないが、その可能性がある場合には、二次元コードの認識に適したマクロ撮像モードによる撮像処理に自動的に切り換わるように撮像装置１６が制御される。従って、ユーザに、撮像モードの設定変更の手間を課すことなく、二次元コードの認識精度を高めることができる。
また、通常撮像モードによる撮像画像データに二次元コードが含まれている可能性が少ない場合や、明確に二次元コードが認識できた場合には、撮像モードが切り換わらないので、効率的である。
【００６９】
尚、本実施の形態における記述内容は、本発明に係る携帯電話機１の好適な一例であり、これに限定されるものではない。例えば、通常撮像モードと、マクロ撮像モードとによる撮像処理が実行可能であれば、上記実施の形態において例示した撮像装置１６の構成に限定されるものではない。例えば、本実施例における撮像装置１６は、２つ光学部材と２つの撮像素子とを備える構成で説明を行ったが、例えば、１つの光学部材と１つの撮像素子のみを備え、該光学部材を前方に移動させる、絞り値を小さくするように絞り板を切換える、被写体までの焦点距離を、通常撮像モードの焦点距離（第１の焦点距離）から、マクロ撮像モードの焦点距離（第２の焦点距離）に切換える等の方法により撮像モードを切換えることが可能に構成されていてもよい。
【００７０】
また、撮像装置１６における機械的な切換えに限定されず、例えば、通常撮像処理により取得した画像の解像度を変更する、青色のみを被写体に照射する撮像処理を実行して、焦点距離が短く２値化された撮像画像を形成することにより、マクロ撮像モードに切換えて二次元コードの認識率を向上させる構成であってもよい。
【００７１】
また、上記において、情報コードの一例として二次元コードを用いて説明を行ったが、二次元コードに限定されるものではなく、例えば、バーコード、カラーコード等どのような情報コードであってもよい。
【００７２】
また、上述の撮像制御処理において、二次元コードをデコードすると、そのコード情報内容を表示部１３に表示させた上で、ユーザによる所定の処理の指示に基づいて、二次元コードの情報内容に応じた各種処理を実行する構成で説明を行ったが、ＣＰＵ１１ａにより、コード情報内容が解読されると自動的に所定の処理を実行する構成であってもよい。
【００７３】
その他、本実施の形態における携帯電話機１の細部構成、及び詳細動作に関しては、本発明の趣旨を逸脱しない範囲で適宜変更可能である。
また、本発明の携帯端末は、携帯電話機１に限定されず、パーソナルコンピュータ、ＰＤＡ等であってもよい。
【００７４】
【発明の効果】
請求項１記載の発明によれば、第１の撮像モードと、第１の撮像モードよりも近接した撮像を行う第２の撮像モードとによる撮像が可能な撮像装置を備えた携帯端末において、切換制御手段により、撮像装置により撮像された撮像画像データに基づいて、第１の撮像モードと、第２の撮像モードの何れが適しているかが判断されて、撮像装置の撮像モードが自動的に切換えられるので、ユーザの撮像モードの選択判断や切換設定等を行う手間を省くことができることとなって、使い勝手が良くなり、ユーザの満足度の向上を図ることができる。
【００７５】
請求項２記載の発明によれば、請求項１に記載の発明と同様の効果が得られるのは勿論のこと、特に、コード認識手段により、撮像装置により撮像された撮像画像データの中から情報コードの可能性がある情報コード対象が認識され、切換制御手段により、コード認識手段により認識された情報コード対象がある場合に、第１の撮像モードから第２の撮像モードに切換えられる。したがって、撮像画像データに情報コードの可能性がある情報コード対象が含まれている場合、ユーザによる撮像モードの切換え設定処理がなくとも、自動的に情報コードの撮像に適した撮像モードに切換えられることとなって、ユーザにより利便性の高いものを提供することができるとともに、情報コードの認識率を向上させることができる。
【００７６】
請求項３記載の発明によれば、請求項２に記載の発明と同様の効果が得られるのは勿論のこと、特に、コード認識手段は、類似性係数算出手段により、撮像画像データと、所定の類似性係数算定用情報とを比較して類似性係数を算出した上で、この類似性係数が予め設定された所定値よりも大きく、且つ「１」よりも小さい場合に、情報コード対象として認識するので、情報コード対象が含まれている場合のみ撮像モードが切り換わる。従って、撮像画像データに情報コードの可能性が少ないものや、情報コードと認識されたもののみが含まれている場合には、撮像モードは切り換わらないので、効率的である。
【００７７】
請求項４記載の発明によれば、請求項３に記載の発明と同様の効果が得られるのは勿論のこと、特に、コード認識手段は、類似性係数算出手段により算出された類似性係数が「１」である場合に、情報コードであると認識するので、数値による判断によって情報コードであるか否かが認識されることとなって、情報コードの誤認防止の効果を奏する。
【００７８】
請求項５記載の発明によれば、請求項２〜４の何れか一項に記載の発明と同様の効果が得られるのは勿論のこと、特に、解読手段により、情報コードが解読され、表示制御手段により、解読された情報コードの情報内容が表示部に表示されるので、ユーザに特別な操作を課すことなく情報コードの情報内容を提供できることとなって、より利便性が向上する。
【００７９】
請求項６記載の発明によれば、請求項２〜４の何れか一項に記載の発明と同様の効果が得られるのは勿論のこと、特に、解読手段により、情報コードの情報内容が解読され、実行手段により、解読された情報コードの情報内容に基づく動作を実行されるので、より使い勝手の良さを向上させることができる。
【００８０】
請求項７記載の発明によれば、請求項１〜６の何れかに記載の発明と同様の効果が得られるのは勿論のこと、特に、撮像装置は、第１の撮像モード用の第１の焦点距離と、第２の撮像モード用の第２の焦点距離に切換可能に構成されており、切換制御手段により、撮像装置の光学部材の被写体に対する焦点距離を第１の焦点距離から第２の焦点距離に切換える制御が行われることで、第１の撮像モードから第２の撮像モードに切換えられるので、撮像装置の焦点距離の切換えにより撮像モードの切換を行う携帯端末において、ユーザの利便性を向上させることができる。
【００８１】
請求項８に記載の発明によれば、請求項１〜６の何れか一項に記載の発明と同様の効果が得られるのは勿論のこと、特に、撮像装置は、第１の撮像モード用の第１の光学部材と、第２の撮像モード用の第２の光学部材とを備え、切換制御手段は、撮像装置の第１の光学部材から第２の光学部材により被写体を撮像するように切換える制御をすることで第１の撮像モードから第２の撮像モードに切換えるので、第１の撮像モード用の第１の光学部材と、第２の撮像モード用の第２の光学部材とを備える撮像装置を搭載した携帯端末において、ユーザの利便性を向上させることができる。
【００８２】
請求項９に記載の発明によれば、請求項１〜６の何れか一項に記載の発明と同様の効果が得られるのは勿論のこと、特に、切換制御手段は、
青色光のみを被写体に照射しその反射像に基づいて撮像処理を実行するように撮像装置を制御することで、第１の撮像モードから第２の撮像モードに切換えるので、青色のみを被写体に照射することにより被写体までの焦点距離を短くするとともに、二値化した画像データが形成されるので、情報コードの認識に好適である。
【図面の簡単な説明】
【図１】本発明を適用した一実施の形態における携帯電話機１の外観構成を示す図である。
【図２】図１の携帯電話機１の機能的構成を示すブロック図である。
【図３】図２の撮像装置１６の一部省略した断面図である。
【図４】撮像制御処理を説明するためのフローチャートである。
【図５】図４の撮像制御処理における被写体を説明するための概略図である。
【符号の説明】
１    携帯電話機（携帯端末）
１１    制御部
１１ａ  ＣＰＵ（コード認識手段、切換え制御手段、類似性係数算出手段、解読手段、表示制御手段、実行手段）
１１ｂ  ＲＡＭ
１１ｃ  ＲＯＭ
１２    入力部
１３    表示部
１６    撮像装置
３１    第１光学部材（第１の光学部材）
３２    第２光学部材（第２の光学部材）
ｃ１    撮像制御プログラム
ｃ２    コード認識プログラム
ｃ３    コード認識用データ（類似性係数算定用情報）
【図１】
2004241822.tif 000003
【図２】
2004241822.tif 000004
【図３】
2004241822.tif 000005
【図４】
2004241822.tif 000006
【図５】
2004241822.tif 000007